(57)【要約】【課題】額縁部に不織布帯等の緩衝部材を設けることなく、表示パネルの微振動による音鳴りを防ぐことができる表示装置を提供する。【解決手段】前側に表示面１ａを有する表示パネル１と、該表示パネル１の周縁部前側に配される額縁部６１を有し、表示パネル１の周縁部及び後側を隠蔽するキャビネット６と、該キャビネット６内で表示パネル１の前側及び後側に配され、該表示パネル１の周縁部を前後に保持する前保持体２及び後保持体３とを備え、前保持体２の緩衝体７と向き合う箇所に、前後に貫通する複数の孔２３を設け、該孔２３に挿入され、且つ緩衝体７に接触する突起８を額縁部６１に設けた。【選択図】図３
2009210814.tif 000002
【特許請求の範囲】
【請求項１】
前側に表示面を有する表示パネルと、該表示パネルの周縁部前側に配される額縁部を有し、前記表示パネルの周縁部及び後側を隠蔽するキャビネットと、該キャビネット内で前記表示パネルの前側及び後側に配され、該表示パネルの周縁部を前後に保持する前保持体及び後保持体とを備え、前記前保持体と前記表示パネルとの間に緩衝体を設けてある表示装置において、前記前保持体は前記緩衝体と向き合う箇所に、前後に貫通する複数の孔又は欠除部を有し、前記額縁部及び緩衝体の少なくとも一方は、前記孔又は欠除部に挿入され、且つ他方に接触する突起を有することを特徴とする表示装置。
【請求項２】
前記キャビネットは合成樹脂製であり、前記突起は前記キャビネットと一体に成形してある請求項１記載の表示装置。
【請求項３】
前記孔は、その長手方向が前記周縁部に沿う方向へ配されている長孔である請求項２記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビジョン等の表示装置は、画像を表示する表示面を前側に有する表示パネルと、該表示パネルの周縁部前側に配される額縁部を有し、前記表示パネルの周縁部及び後側を隠蔽する合成樹脂製のキャビネットと、該キャビネット内で前記表示パネルの前側に配される金属板製の前保持体と、前記表示パネルの後側に配され、該表示パネルの周縁部を前記前保持体とにより前後に保持する後保持体とを備え、該後保持体の前面及び前記前保持体の後面全周に帯状の緩衝体が貼着され、前記額縁部の後面全周に不織布帯が貼着され、例えばスピーカが発生する比較的高音の音により表示パネルが微振動する場合においても額縁部が表示パネル及び前保持体に当接するのを防ぐことができるように構成されている。また、不織布帯はキャビネットと異なる材料により形成され、また、両面テープはキャビネット及び不織布帯と異なる材料により形成されている。
【特許文献１】特開２００７−３１６０９８号公報
【発明の開示】
【発明が解決しようとする課題】
【０００３】
ところが、従来のように合成樹脂製キャビネットにおける額縁部の後面全周に不織布帯が両面テープにより貼着されている表示装置にあっては、不織布帯と、該不織布帯に付設される両面テープとが必要であるため、部品点数が増加し、不織布帯の貼付けによる組立て工数も増加し、コスト高になる。また、リサイクルのために表示装置が解体されるとき、額縁部の全周に亘って貼着されている不織布帯の剥取り作業が必要であり、また、不織布帯を剥取ることなくキャビネットがリサイクルされる場合、キャビネットと異なる材料により形成されている不織布帯及び両面テープがキャビネットとともにリサイクル材料となり、キャビネットによるリサイクル材料の純度が低くなり、改善策が要望されていた。
【０００４】
本発明は斯かる事情に鑑みてなされたものであり、主たる目的は表示パネルの周縁部を後保持体とにより保持する前保持体の前記緩衝体と向き合う箇所に、前後に貫通する複数の孔又は欠除部を設け、額縁部及び前記緩衝体の少なくとも一方に、前記孔又は欠除部に挿入し、且つ他方に接触する突起を設けることにより、額縁部に不織布帯等の緩衝部材を設けることなく、表示パネルの微振動による音鳴りを防ぐことができる表示装置を提供することにある。
【課題を解決するための手段】
【０００５】
本発明に係る表示装置は、前側に表示面を有する表示パネルと、該表示パネルの周縁部前側に配される額縁部を有し、前記表示パネルの周縁部及び後側を隠蔽するキャビネットと、該キャビネット内で前記表示パネルの前側及び後側に配され、該表示パネルの周縁部を前後に保持する前保持体及び後保持体とを備え、前記前保持体と前記表示パネルとの間に緩衝体を設けてある表示装置において、前記前保持体は前記緩衝体と向き合う箇所に、前後に貫通する複数の孔又は欠除部を有し、前記額縁部及び緩衝体の少なくとも一方は、前記孔又は欠除部に挿入され、且つ他方に接触する突起を有することを特徴とする。
【０００６】
この発明にあっては、前保持体及び表示パネルの間に設けられている緩衝体に、額縁部が突起により接触しているため、表示パネルの微振動により額縁部が表示パネル及び前保持体に当接するのを、額縁部に不織布帯を設けることなく防ぐことができ、表示パネルの微振動による音鳴りを防ぐことができる。また、前保持体の後側に配される緩衝体が不織布帯を兼ねているため、部品点数及び組立て工数を削減でき、コストの低減を図ることができる。また、リサイクルのために解体されるとき、剥ぎ取り作業を行うことなくキャビネットだけに分別することができ、解体作業性を高めることができる。
【０００７】
また、本発明に係る表示装置は、前記キャビネットは合成樹脂製であり、前記突起は前記キャビネットと一体に成形してある構成とするのが好ましい。
【０００８】
この発明にあっては、表示パネルの隠蔽状態を維持することができるように比較的硬質の材料により成形されるキャビネットと一体に突起が成形されているため、前記緩衝体の位置ずれに影響されることなく突起を孔又は欠除部に挿入することができ、組立て作業性を高めることができる。
【０００９】
また、本発明に係る表示装置は、前記孔は、その長手方向が前記周縁部に沿う方向へ配されている長孔である構成とするのが好ましい。
この発明にあっては、前保持体の孔による強度低下を低減でき、且つ表示パネルが比較的大形であっても、額縁部の突起を前保持体の孔に挿入し易くでき、組立て作業性をより一層高めることができる。
【発明の効果】
【００１０】
本発明によれば、表示パネルの微振動により額縁部が表示パネル及び前保持体に当接して音鳴りするのを防ぐための部品点数及び組立て工数を削減でき、コストを低減できる。しかも、リサイクルのために解体されるとき、剥ぎ取り作業を行うことなくキャビネットだけに分別することができ、解体作業性を高めることができる。
【発明を実施するための最良の形態】
【００１１】
以下本発明をその実施の形態を示す図面に基づいて詳述する。
図１は本発明に係る表示装置の構成を示す正面図、図２は表示装置の一部を省略した縦断側面図、図３は要部の構成を示す拡大断面図である。
【００１２】
この表示装置はテレビ画像を表示する表示面１ａを前側に有する表示パネル１と、表示パネル１の前側及び後側に配され、該表示パネル１の周縁部を前後に保持する前保持体２及び後保持体３と、表示パネル１の後側に配されている光学シート４と、該光学シート４の後側に配され、複数のランプ５１を有する光源部５と、表示パネル１の周縁部及び光源部５の後側を隠蔽するキャビネット６とを備える液晶テレビジョン、換言すれば液晶表示装置である。
【００１３】
表示パネル１は略直方体をなし、上縁部前面及び下縁部前面に、一面に電子部品が実装されている複数のフレキシブルプリント基板１０の一端が前記上縁部及び下縁部の長手方向（表示パネル１の周方向）に離隔して接続されている。
【００１４】
図４は前保持体２の構成を示す正面図、図５は前保持体２に開設されている孔の構成を示す一部拡大図、図６は前保持体２に開設されている欠除部の構成を示す一部拡大図である。表示パネル１の前側に配されている前保持体２は、表示パネル１の周縁部前面に対向する矩形環状の第１の環板部２１、及び環板部２１の外縁から後方へ延出され、角筒形をなしている第１の枠部２２を有し、金属板をプレス成形してなり、環板部２１の内縁側後面には表示パネル１の周縁部を弾性的に受止める帯状の緩衝体７が貼付けられている。また、環板部２１の複数の周方向位置には、緩衝体７の貼付け箇所を前後方向へ貫通する円形の孔２３又は欠除部２４が開設されている。緩衝体７はゴム板からなり、両面テープにより貼付けられている。
【００１５】
環板部２１に開設される孔２３は、図５の(a) に示すように円形である他、図５の(b) に示すようにその長手方向が環板部２１の周縁部に沿う方向、換言すると表示パネル１の周縁部に沿う方向へ配される長孔であってもよい。また、環板部２１に開設される欠除部２４は、図６に示すようにその内周縁の一部が環板部２１の内周縁に開放されている凹状である。
【００１６】
表示パネル１の後側に配されている後保持体３は、表示パネル１の周縁部後面に対向する矩形環状の第２の環板部３１及び該環板部３１の外縁から後方へ延出され、角筒形をなしている第２の枠部３２を有し、合成樹脂材を成形してなる。枠部３２における上辺部及び下辺部の外面にフレキシブルプリント基板１０夫々の他端に接続されているプリント回路基板１１が取付けられている。また、環板部３１の内縁側前面には表示パネル１の周縁部を弾性的に受止める帯状の緩衝体１２が接着剤により貼付けられている。
【００１７】
また、前保持体２及び後保持体３は、第１及び第２の環板部２１，３１の複数の周方向位置において雄螺子により結合され、表示パネル１の周縁部を緩衝体７，１２を介して挾持し、パネルモジュールになっている。このパネルモジュールは、第１及び第２の環板部２１，３１の複数の周方向位置において雄螺子により光源部５のケース体５２に取付けられている。
【００１８】
光源部５は、複数本が上下に離隔して並置されている円筒形をなすランプ５１と、該ランプ５１を収容支持するケース体５２と、該ケース体５２の両側部前面に固定され、ランプ５１の両端部を保持するとともに光学シート４の周縁部を受止めるランプホルダと、ケース体５２の上下部前面に固定され、光学シート４の周縁部を受止めるシート受体５３と、ケース体５２の後壁内面に沿って配され、ランプ５１が発光した光をケース体５２の開放側へ反射させる反射シート５４とを備え、ケース体５２の周縁部後面に取付板５５が固定されており、また、ケース体５２の後壁に回路基板等の電気部品が取付けられている。
【００１９】
ランプ５１は両端部に電極を有する冷陰極管又は熱陰極管であり、ケース体５２内の両側に並設されたランプホルダに両端部が保持され、また、中間部がランプクリップによりケース体５２の後壁に保持されている。
【００２０】
取付板５５には、後記する筒形ボス６５の孔に対応する複数の挿通孔５５ａと、複数の螺子孔とが開設されている。
【００２１】
キャビネット６は、表示パネル１の周縁部前側に配され、前保持体２の環板部２１を隠蔽する額縁部６１、及び該額縁部６１の外縁から後方へ延出され、前保持体２より大形の角筒部６２を有する合成樹脂製のキャビネット前分体６ａと、ケース体５２の後側を隠蔽する皿状板部６３、及び該皿状板部６３の外縁から前方へ延出され、前保持体２より大形の角筒部６４を有する合成樹脂製のキャビネット後分体６ｂとを備える。
【００２２】
額縁部６１の内周側で複数の周方向位置には、前保持体２の孔２３に対応する突起８が一体に成形されている。突起８は孔２３より若干小径の円柱形をなし、パネルモジュールの前側にキャビネット前分体６ａが被嵌されるとき、突起８が孔２３に挿入され、該突起８の先端が緩衝体７に接触するように構成されている。
【００２３】
額縁部６１の内周縁には後方へ延出され、表示パネル１との間の隙間を僅少にするリップ６１ａが一体に設けられており、額縁部６１の外周側には内側から後方へ突出する筒形ボス６５が設けられており、筒形ボス６５内に捩じ込まれる雄螺子９によりケース体５２の取付板５５に取付けられている。
【００２４】
キャビネット後分体６ｂの皿状板部６３の外縁部には筒形ボスが設けられており、該筒形ボスの孔へ挿入する雄螺子を、取付板５５に開設されている螺子孔に捩じ込むことにより、キャビネット後分体６ｂをケース体５２に結合してある。
【００２５】
以上のように構成された表示装置は例えば次の(1) 〜(7) の工程で組立てられる。
(1) 作業台上に枠部３２を下向にして平置きされた後保持体３の環板部３１に表示パネル１が載置され、該表示パネル１の周縁部後面が緩衝体１２に接触し、表示パネル１の上側に、枠部２２を下向にして前保持体２が載置され、該前保持体２における環板部２１の緩衝体７が表示パネル１の周縁部前面に接触し、複数本の雄螺子により環板部２１，３１同士が結合され、パネルモジュールが形成される。
(2) 作業台上に額縁部６１が下側となるように平置きされたキャビネット前分体６ａの内側に、前保持体２を下向きにしてパネルモジュールが挿入され、額縁部６１に載置される。この際、額縁部６１に突設されている突起８が、前保持体２の環板部２１に開設されている孔２３又は欠除部２４に挿入され、突起８の先端が緩衝体７に接触し、額縁部６１のリップ６１ａと表示パネル１との間の隙間量が維持される。
(3) パネルモジュールの後保持体３の上側に光学シート４が載置され、該光学シート４の周縁部が環板部３１に支持される。
(4) 作業台上に開放部を上向にして平置きされたケース体５２内に反射シート５４、ランプ５１が組込まれ、光源部５が形成される。
(5) 光源部５はケース体５２の開放側が下向きとなるように反転され、この反転状態で光学シート４の上側に載置される。
(6) 光源部５の取付板５５に開設されている挿通孔５５ａに雄螺子９を挿入し、該雄螺子９を筒形ボス６５の孔に捩じ込むことによりキャビネット前分体６ａ及びケース体５２が一体に結合される。
(7) キャビネット後分体６ｂを光源部５の上側から載置し、該キャビネット後分体６ｂの筒形ボスに雄螺子を挿入し、該雄螺子を前記取付板５５の螺子孔に捩じ込むことによりキャビネット後分体６ｂ及びケース体５２が一体に結合される。
【００２６】
以上のように表示パネル１の周縁部を保持する前保持体２の環板部２１に孔２３又は欠除部２４が開設され、該孔２３又は欠除部２４に挿入される突起８が額縁部６１の内側に突設され、該突起８が、環板部２１の表示パネル１との接触面に貼付けられている緩衝体７に接触するため、表示パネル１の微振動が額縁部６１に伝播するのを抑制することができ、表示パネル１の微振動により額縁部６１が前保持体２及び表示パネル１に当接するのを防ぐことができる。因って、額縁部６１の内側に不織布帯等の緩衝部材が設けられるものに比べて部品点数、及び組立て工数を削減でき、コストを低減できる。
【００２７】
リサイクルのために表示装置が解体される場合、キャビネット前分体６ａ及びキャビネット後分体６ｂが取外しされることにより、緩衝部材等の異種材が付設されていないキャビネット前分体６ａだけに分別することができ、キャビネット前分体６ａだけをリサイクル材料にすることができ、解体作業性を高めることができる。
【００２８】
図７は表示装置の他の構成を示す要部の断面図である。この表示装置は、キャビネット前分体６ａの額縁部６１に突起８を設ける代わりに、前保持体２における環板部２１に設けられる緩衝体７に突起８を一体に設け、該突起８の端面が額縁部６１の内面に接触する構成としたものである。
【００２９】
この構成において、突起８はゴム板等の弾性材からなる帯状の緩衝体７と一体に成形されており、環板部２１に開設されている孔２３又は欠除部２４と対応する箇所に配されている。
【００３０】
この構成においても、緩衝体７と一体の可撓性を有する突起８が、キャビネット前分体６ａにおける額縁部６１の内面に接触するため、表示パネル１の微振動が額縁部６１に伝播するのを抑制することができ、表示パネル１の微振動により額縁部６１が前保持体２及び表示パネル１に当接するのを防ぐことができる。従って、額縁部６１の内側に不織布帯等の緩衝部材が設けられるものに比べて部品点数、及び組立て工数を削減でき、コストを低減できる。
【００３１】
また、リサイクルのために表示装置が解体される場合、キャビネット前分体６ａが取外しされることにより、緩衝部材等の異種材が付設されていないキャビネット前分体６ａだけに分別することができ、キャビネット前分体６ａだけをリサイクル材料にすることができ、解体作業性を高めることができる。
【００３２】
図８は表示装置の他の構成を示す要部の断面図である。この表示装置は、額縁部６１及び緩衝体７の一方にだけ突起８を設ける代わりに、額縁部６１及び緩衝体７の両方に突起８を一体に設け、該突起８の端面同士が孔２３内又は欠除部２４内で突き合わされる構成としたものである。
【００３３】
この構成においても、額縁部６１及び緩衝体７と一体に設けられている突起８，８の端面同士が孔２３内又は欠除部２４内で突き合わされているため、表示パネル１の微振動が額縁部６１に伝播するのを抑制することができ、表示パネル１の微振動により額縁部６１が前保持体２及び表示パネル１に当接するのを防ぐことができる。従って、額縁部６１の内側に不織布帯等の緩衝部材が設けられるものに比べて部品点数、及び組立て工数を削減でき、コストを低減できる。
【００３４】
また、リサイクルのために表示装置が解体される場合、キャビネット前分体６ａが取外しされることにより、緩衝部材等の異種材が付設されていないキャビネット前分体６ａだけに分別することができ、キャビネット前分体６ａだけをリサイクル材料にすることができ、解体作業性を高めることができる。
【００３５】
尚、以上説明した実施の形態では、額縁部６１及び角筒部６２を有するキャビネット前分体６ａを有する構成としたが、その他、角筒部６２がなく、額縁部６１がキャビネット前分体６ａである構成としてもよい。この場合、キャビネット後分体６ｂの角筒部６４は額縁部６１に至るまで延出される。
【００３６】
また、以上説明した実施の形態では、表示パネル１と光源部５との間に配置される後保持体３を備え、該後保持体３と前保持体２とにより表示パネル１の周縁部を前後に保持する構成としたが、その他、後保持体３をなくし、光源部５のケース体５２が後保持体を兼ね、該ケース体５２と前保持体２とにより表示パネル１の周縁部を前後に保持する構成としてもよい。
【００３７】
また、以上説明した実施の形態では、前保持体２に緩衝体７が貼付けられている構成としたが、その他、緩衝体７は表示パネル１の周縁部に貼付けられた構成であってもよいし、また、貼付けることなく前保持体２と表示パネル１の周縁部との間に配置される構成であってもよい。
【００３８】
また、本発明に係る表示装置は液晶テレビジョン等の液晶表示装置である他、プラズマ表示装置、ＳＥＤディスプレイ、ＥＬディスプレイ等の表示装置であってもよい。
【図面の簡単な説明】
【００３９】
【図１】本発明に係る表示装置の構成を示す正面図である。
【図２】本発明に係る表示装置の一部を省略した縦断側面図である。
【図３】本発明に係る表示装置の要部の構成を示す拡大断面図である。
【図４】本発明に係る表示装置の前保持体の構成を示す正面図である。
【図５】本発明に係る表示装置の前保持体に開設されている孔の構成を示す一部拡大図である。
【図６】本発明に係る表示装置の前保持体に開設されている欠除部の構成を示す一部拡大図である。
【図７】本発明に係る表示装置の他の構成を示す要部の断面図である。
【図８】本発明に係る表示装置の他の構成を示す要部の断面図である。
【符号の説明】
【００４０】
１    表示パネル
１ａ  表示面
２    前保持体
２３  孔
２４  欠除部
３    後保持体
５２  ケース体（後保持体）
６    キャビネット
６１  額縁部
７    緩衝体
８    突起
【図１】
2009210814.tif 000003
【図２】
2009210814.tif 000004
【図３】
2009210814.tif 000005
【図４】
2009210814.tif 000006
【図５】
2009210814.tif 000007
【図６】
2009210814.tif 000008
【図７】
2009210814.tif 000009
【図８】
2009210814.tif 000010